(57)【特許請求の範囲】
【請求項１】
キャビネット本体内に収納される収納位置から、キャビネット本体の前方側へ引き出される引き出し位置に亘り移動可能に引出しを設けるとともに、前記引き出し位置に引き出された引出しの前記収納位置側への移動を規制するロック機構を備えた引出し付きキャビネットにおいて、
前記引出しの前面の前板を上下スライド自在に設けるとともに、該前板の上下動作に前記ロック機構が連動するように構成した
ことを特徴とする引出し付きキャビネット。
【請求項２】
前記ロック機構は、
前記引出しの側面に軸部を中心として前後端が上下方向に遥動可能に設けられて前端が前記前板に連結されたロックバーと、
引出しの収納位置において前記ロックバーの上方に位置し該ロックバーを略水平に保持し得るようにキャビネット本体に固設された横長のガイドバーで構成され、
前記引出しが引き出し位置まで引き出されると、前記ガイドバーから前記ロックバーが外れて前記前板が自重で下動することにより、該ロックバーの後端が前記ガイドバーの前端に係止されるように構成した
ことを特徴とする請求項１に記載の引出し付きキャビネット。
【発明の詳細な説明】
【技術分野】
【０００１】
本発明は、引き出し可能な引出しを有する引出し付きキャビネットに関するものである。
【背景技術】
【０００２】
従来、特許文献１に開示されているように、キャビネット本体に手前へ引き出し可能に引出しが配置され、この引出しを引き出した状態に保持する押し込み阻止用のロック装置を備えた引出し付きキャビネットが存在する。
【特許文献１】特開２００６−３４６１５６号公報
【発明の開示】
【発明が解決しようとする課題】
【０００３】
上記特許文献１に開示されている引出し付きキャビネットでは、引出しを引き出した位置からキャビネット本体内に収納させる際に、引出しの側面に設けられたロック装置を構成する棒状のロック解除操作部を、手で上方へ引き上げて、ロック状態を解除せねばならず、引出しを収納させる際の操作が面倒であるという問題点があった。
【課題を解決するための手段】
【０００４】
本発明は、操作が容易な引出し付きキャビネットを提供することを目的の１つとし、この目的の少なくとも一部を達成するために以下の手段を採った。
本発明は、キャビネット本体内に収納される収納位置から、キャビネット本体の前方側へ引き出される引き出し位置に亘り移動可能に引出しを設けるとともに、前記引き出し位置に引き出された引出しの前記収納位置側への移動を規制するロック機構を備えた引出し付きキャビネットにおいて、前記引出しの前面の前板を上下スライド自在に設けるとともに、該前板の上下動作に前記ロック機構が連動するように構成したことを要旨とする。
【発明の効果】
【０００５】
引出しの前面の前板を上下方向にスライド移動させることによりロック機構が連動するため、キャビネット本体から引き出された状態の引出しを収納させる際に、前板を上方へ移動させて容易にロック機構を解除させることができ、操作が容易なものとなる。
【０００６】
また、上記引出し付きキャビネットにおいて、前記ロック機構は、前記引出しの側面に軸部を中心として前後端が上下方向に遥動可能に設けられて前端が前記前板に連結されたロックバーと、引出しの収納位置において前記ロックバーの上方に位置し該ロックバーを略水平に保持し得るようにキャビネット本体に固設された横長のガイドバーで構成され、前記引出しが引き出し位置まで引き出されると、前記ガイドバーから前記ロックバーが外れて前記前板が自重で下動することにより該ロックバーの後端が前記ガイドバーの前端に係止されるように構成することもできる。
【０００７】
こうすれば、キャビネット本体から引出しを前側へ引き出した時には、ガイドバーからロックバーが外れることで前板が自重で下動して、ロックバーの後端がガイドバーの前端に係止され、引出しの収納状態位置への移動が規制されるものとなり、この状態から引出しをキャビネット内に収納させる際には、前板を上方へスライドさせれば、ロックバーとガイドバーの係合状態を解除することができ、この状態で引出しをキャビネット本体側へ良好に収納することができ、操作が容易なものとなる。
【発明を実施するための最良の形態】
【０００８】
次に、本発明を実施するための最良の形態を実施例を用いて説明する。
図１は、引出し付きキャビネットの斜視構成図であり、また図２は、引出し付きキャビネットの要部正面図を示すものである。
【０００９】
引出し付きキャビネット１は、左右の側板２ａ，２ｂと背側の背板２ｃで、前方側および上方側が開口された箱状に形成されており、このキャビネット本体２の上面には洗面器４が設置され、洗面器４には水栓５および操作用のハンドル５ａが設けられている。
また、洗面器４の下方には、キャビネット本体２から前方側へ引き出し可能に収納部３が設けられており、この収納部３の下方に、踏み台となる引出し６が引き出し可能に設けられている。この引出し６の上面には、その上に乗ることのできる天板７が設けられている。
また、引出し６の底面には、キャスター１１，１１が設けられており、このキャスター１１，１１が床面Ｆ上を転動して、引出し６をキャビネット本体２から手前側へ引き出せるように構成されている。
【００１０】
図３は、キャビネット本体２内に引出し６を収納させた収納位置における要部概略構成図を示しており、また図４は、引出し６をキャビネット本体２から前側へ引き出した引き出し位置における要部概略構成図を示している。
引出し６の前面側には、上前板６ｂと、その後方側に平行状に下前板６ｃが設けられており、下前板６ｃは固定されているが、上前板６ｂは上下方向にスライド自在に設けられている。
【００１１】
なお、図５は、さらに詳細な拡大図を示すが、キャビネット本体２の側板２ａ，２ｂの内側には、横方向に固定レール１６が固定されており、この固定レール１６に係合されるスライドレール１７が、引出し６の本体６ａの左右の側面に固定されている。
固定レール１６にスライドレール１７が嵌まり込んで、固定レール１６に沿ってスライドレール１７が横方向にスライド移動でき、このスライドレール１７の横移動とともに引出し６が手前側へ引き出され、キャビネット本体２から引出し６が完全に引き出された図４の引き出し位置では、固定レール１６の前端にスライドレール１７の後端が係合状態に保持されるように構成されている。
【００１２】
この固定レール１６と平行状に、その上方側にガイドバー８が固設されている。このガイドバー８は横長状に形成されており、キャビネット本体２の側板２ａおよび２ｂの内側に固定されたものである。
一方、引出し６の本体６ａの左右の側面の外側には、ロックバー９が設けられている。このロックバー９は、引出しの本体６ａの側面の後方側に固定された軸金具１２の軸部１２ａに嵌め込まれており、軸部１２ａを中心としてロックバー９の前端側および後端側が上下方向に遥動できるように構成されている。
【００１３】
ロックバー９の前端は、上前板６ｂの裏側の左右端側に固定されたアングル状の連結金具１０に形成されている係合片１０ａに軸部１３を介して連結されており、係合片１０ａに形成されている横長の長孔１０ｂ内に軸部１３が配置されている。また、ロックバー９の後端側には、ローラー１４が転動可能に設けられており、その後端側に、ゴム等で構成されたストッパー部材１５が設けられている。
一方、ガイドバー８の前端側には、このストッパー部材１５に係合する係止片８ａが上方へ折り曲げて形成されている。
【００１４】
なお、ロックバー９は水平状態ではガイドバー８の下方に位置するように配置されており、ガイドバー８の下面にローラー１４が当接して、ガイドバー８の下側でロックバー９が前後方向に移動されるものである。
図３の収納位置では、ガイドバー８の下側に水平にロックバー９が保持されるものであり、この状態では、ロックバー９の前端に連結金具１０を介して連結されている上前板６ｂは、その上端が天板７よりも上方へ突出した位置に配置される。
【００１５】
この図３の収納位置から、上前板６ｂの下端に手を入れて、引出しを前方側へ引き出してゆくと、ガイドバー８に沿ってロックバー９は水平状態で移動されてゆくが、図４のように、引出し６をキャビネット本体２から引き出した引き出し位置に達すると、ガイドバー８の前端からロックバー９のローラー１４が外れ、ロックバー９の後端がガイドバー８の前端から離れて自由端となると、上前板６ｂの自重が作用して、上前板６ｂは自重で下動することとなる。
【００１６】
上前板６ｂが下動することにより、ロックバー９の前端側が下方へ移動し、逆にロックバー９の後端側は上方へ移動することとなり、図４に示すように、ロックバー９の後端に設けられているストッパー部材１５がガイドバー８の前端の係止片８ａと整合されて、ほぼ当接状態となり、この状態では、引出し６をキャビネット本体２側へ押し込もうとしてもストッパー部材１５が係止片８ａに当接して、引出し６のキャビネット本体２側への移動が規制されるものである。
このようにロックバー９とガイドバー８でロック機構が構成されて、引き出された引出し６を引き出し位置に良好に保持できるものである。
【００１７】
なお、この引き出し位置では、上前板６ｂの上端が天板７と面一状になるように設定されており、上前板６ｂの上端と天板７に段差が生ずることがなく、天板７上に乗って踏み台として引出し６を有効に利用することができ、上方側に配置される棚等からの物の取り出し等を容易に行うことができるものとなる。
また、天板７上に乗った時に、上前板６ｂとの間に段差がないために、上前板６ｂに足を引っ掛けることもなく、安全性が高められたものとなっている。
【００１８】
この図４の引き出し位置から図３の収納位置に引出し６を戻す際には、上前板６ｂの下端に手を掛けて、上前板６ｂを上方へ押し上げることにより、ロックバー９の後端のストッパー部材１５が下側へ移動し、これにより、ガイドバー８の前端の係止片８ａからストッパー部材１５が離脱され、ロック状態が解除されるものであり、ロックバー９を水平状態にして、この状態で良好に引出し６をキャビネット本体２側へ押し込んで収納させることができるものである。この場合は、ガイドバー８の下面にローラー１４が当接して、スムーズにガイドバー８に沿って水平状態でロックバー９が後方側へ移動されてゆくため、上前板６ｂは上方へ持ち上げられたままの状態に維持されて、引出し６が収納されることとなる。
【００１９】
なお、本例では、ロックバー９の後端にストッパー部材１５を設けているが、ローラー１４が直接、ガイドバー８の前端に当接するような構造であっても良い。
なお、本例では、天板７上に人が乗ることができて踏み台として利用できる引出し６を例示しているが、踏み台として利用できる引出しに限らず、高さ寸法が高い、その他の引出しについても、同様に上前板６ｂを上下動させてロック機構と連動させるように構成することができ、上前板６ｂを上方へ持ち上げる操作でロック機構を解除できるため、従来のような面倒な操作ではなく、引出しを楽に出し入れできるものとなる。
【図面の簡単な説明】
【００２０】
【図１】引出し付きキャビネットの一例を示す斜視構成図である。
【図２】図１のキャビネットの下部を拡大して示す正面拡大構成図である。
【図３】引出しの収納位置における収納状態を示す概略側面構成図である。
【図４】引出しを引き出した引き出し位置の状態を示す概略側面構成図である。
【図５】引出しとキャビネット本体側の構成部材の配置詳細図である。
【符号の説明】
【００２１】
１  引出し付きキャビネット
２  キャビネット本体
２ａ，２ｂ  側板
３  収納部
６  引出し
６ａ  本体
６ｂ  上前板
６ｃ  下前板
７  天板
８  ガイドバー
８ａ  係止片
９  ロックバー
１０  連結金具
１０ａ  係合片
１１  キャスター
１２ａ，１３  軸部
１４  ローラー
１５  ストッパー部材
１６  固定レール
１７  スライドレール
Ｆ  床面
【図１】
0005004753.tif 000002
【図２】
0005004753.tif 000003
【図３】
0005004753.tif 000004
【図４】
0005004753.tif 000005
【図５】
0005004753.tif 000006